(57)【要約】【課題】自動清掃が可能なフィルター装置を備えた空気調和機を提供することを目的とする。【解決手段】少なくとも熱交換器と吸入グリルを設けた空気調和機の室内機内部において、前記熱交換器と前記吸入グリルとの間にエアフィルターを設け、前記エアフィルターに付着するホコリを吸引し、移動可能な吸い込みノズルを前記エアフイルタ−の風上側に配し、さらに前記吸い込みノズルからのホコリを吸引・排気する吸引排気装置を配した空気調和機であって、前記吸引排気装置はモ−タを内蔵したシロッコファンと前記シロッコファンを囲むケ−シングとから形成し、前記ケ−シングの吸い込み口を前記吸い込みノズルに連通する吸い込みダクトと繋ぎ、前記ケ−シングの吹き出し口を室外へ排気する排気ダクトに連通させてホコリを排出できる機能を有したことを特徴とするものである。【選択図】  図５
2004353966.tif 000002
【特許請求の範囲】
【請求項１】
少なくとも熱交換器と吸入グリルを設けた空気調和機の室内機内部において、前記熱交換器と前記吸入グリルとの間にエアフィルターを設け、前記エアフィルターに付着するホコリを吸引し、移動可能な吸い込みノズルを前記エアフイルタ−の風上側に配し、さらに前記吸い込みノズルからのホコリを吸引・排気する吸引排気装置を配した空気調和機であって、前記吸引排気装置はモ−タを内蔵したシロッコファンと前記シロッコファンを囲むケ−シングとから形成し、前記ケ−シングの吸い込み口を前記吸い込みノズルに連通する吸い込みダクトと繋ぎ、前記ケ−シングの吹き出し口を室外へ排気する排気ダクトに連通させてホコリを排出できる機能を有したことを特徴とする空気調和機。
【請求項２】
前記吸引排気装置は、前記シロッコファンを低速回転させるときは、前記吸い込みノズル、前記吸い込みダクト、前記吸引排気装置、前記排気ダクトの順に空気を経由させて、室内の空気を室外に排気することで、換気することを特徴とする請求項１記載の空気調和機。
【請求項３】
少なくとも熱交換器と吸入グリルを設けた空気調和機の室内機内部において、前記熱交換器と前記吸入グリルとの間にエアフィルターを設け、前記エアフィルターに付着するホコリを吸引し、移動可能な吸い込みノズルを前記エアフイルタ−の風上側に配し、さらに前記吸い込みノズルからのホコリを吸引・排気する吸引排気装置を配した空気調和機であって、前記吸引排気装置は、風上側から順に、筒に覆われてモ−タを内蔵した第１軸流ファン、前記第１軸流ファンと回転方向が同じ第２軸流ファンとから構成し、前記吸い込みダクトと前記排気ダクトに、前記第１軸流ファンと前記第２軸流ファンを連通しホコリを排出することを特徴とする空気調和機。
【請求項４】
少なくとも熱交換器と吸入グリルを設けた空気調和機の室内機内部において、前記熱交換器と前記吸入グリルとの間にエアフィルターを設け、前記エアフィルターに付着するホコリを吸引し、移動可能な吸い込みノズルを前記エアフイルタ−の風上側に配し、さらに前記吸い込みノズルからのホコリを吸引・排気する吸引排気装置を配した空気調和機であって、前記吸引排気装置は、風上側から順に、筒に覆われてモ−タと一段の軸流ファンから構成し、前記吸い込みダクトと前記排気ダクトに、前記軸流ファンを連通しホコリを排出することを特徴とする空気調和機。
【発明の詳細な説明】
【０００１】
【発明の属する技術分野】
本発明は、空気調和機の室内機のエアフイルタ−の自動清掃が可能なフィルター清掃装置を備えた空気調和機に関するものである。
【０００２】
【従来の技術】
公知の如く、ファンにより吸込んだ空気を熱交換器で冷却もしくは加熱した後、室内へ送風する空気調和機には、吸込む空気中に漂う塵埃が空気調和機の本体内部へ侵入することを防ぐため、空気調和機の吸込口裏面にエアフィルターが設けられており、このエアフィルターは、付着した塵埃を手で清掃できるように着脱自在に構成されている。
【０００３】
また、エアフィルターの清掃が容易な空気調和機としては、図１０に記載のようにモータ４０で繰出し／巻取られる帯状のフィルター４１とフィルター４１の除塵部材４２と除塵部材４２から、フイルタ−４１に付着したホコリを貯めるダストボックス４３から構成されたフイルタ−装置４３を、空気調和機室内機の吸入パネルの吸気口の裏面に設置した構成と成っているものが知られている（例えば、特許文献１参照）。
【０００４】
【特許文献１】
特開２００１−９９４７９号公報
【０００５】
【発明が解決しようとする課題】
しかしながら、公知技術のエアフィルターは空気調和機の使用頻度に応じて空気調和機より取り外し、水洗いもしくは掃除機などで付着した塵埃を掃除するという周期的なメンテナンスを要する。また更に、周期的なメンテナンスが不要でも、エアフィルターに塵埃が堆積した貯めたダスツボックス４３のホコリを清掃するという、定期的なメンテナンスを必要とするものである。すなわち、空気調和機のエアフィルタ−に堆積するホコリを清掃するというメンテナンスが必ず必要であった。
【０００６】
エアフイルタ−に堆積するホコリは、吸込み空気が貫通していくエアフィルタ−の通気抵抗が増大するため空気調和機・室内機のＣＯＰが低下し、消費電力が増大するという課題もあった。
【０００７】
【課題を解決するための手段】
前記従来の課題を解決するため、本発明の空気調和機は、少なくとも熱交換器と吸入グリルを設けた空気調和機の室内機内部において、前記熱交換器と前記吸入グリルとの間にエアフィルターを設け、前記エアフィルターに付着するホコリを吸引し、移動可能な吸い込みノズルを前記エアフイルタ−の風上側に配し、さらに前記吸い込みノズルからのホコリを吸引・排気する吸引排気装置を配した空気調和機であって、前記吸引排気装置はモ−タを内蔵したシロッコファンと前記シロッコファンを囲むケ−シングとから形成し、前記ケ−シングの吸い込み口を前記吸い込みノズルに連通する吸い込みダクトと繋ぎ、前記ケ−シングの吹き出し口を室外へ排気する排気ダクトに連通させてホコリを排出できる機能を有したことを特徴とする空気調和機を提供できるものである。シロッコファンは、遠心送風機より風量当たりの騒音が低いが、低圧型のために内蔵モ−タを遠心送風機より高速回転させて、以上に記載の経路を通じてホコリを野外に排出するだけの静圧を確保できる。
【０００８】
【発明の実施の形態】
本発明の第１の発明の実施の形態における空気調和機は、吸引排気装置はモ−タを内蔵したシロッコファンと前記シロッコファンを囲むケ−シングとから形成し、前記ケ−シングの吸い込み口を前記吸い込みノズルに連通する吸い込みダクトと繋ぎ、前記ケ−シングの吹き出し口を室外へ排気する排気ダクトに連通させてホコリを排出できる機能を有するものである。
【０００９】
そして、この構成によって、シロッコファンは遠心送風機より風量当たりの騒音が低いが、遠心送風機よりは低圧型のために内蔵モ−タを遠心送風機よりも高速回転させて、吸い込みノズル・吸い込みダクト・シロッコファンを内蔵した吸引排気装置・排気ダクトの順に空気を経由させて、室内の汚れた空気を室外に排気するだけの静圧を充分発揮できる。しかし、室内機の構造上から、吸引排気装置は、小型のために、モ−タを内蔵したシロッコファンにする必要がある。
【００１０】
本発明の第２の実施の形態における空気調和機は、第１の実施の形態における空気調和機において、吸引排気装置は、前記シロッコファンを低速回転させるときは、前記吸い込みノズル・前記吸い込みダクト・前記吸引排気装置・前記排気ダクトの順に空気を経由させて、室内の空気を室外に排気することで、換気するものである。
【００１１】
そして、この構成によって、シロッコファンは遠心送風機より風量当たりの騒音が低いので、シロッコファンを低速回転させるときに、吸い込みノズル・吸い込みダクト・シロッコファンを内蔵した吸引排気装置・排気ダクトの順に空気を経由させて、室内の汚れた空気を室外に排気することで、低騒音な換気の機能をもたせることができる。空気調和機による、常時換気も可能にするものである。
【００１２】
本発明の第３の実施の形態における空気調和機は、吸引排気装置は、風上側から順に、筒に覆われてモ−タを内蔵した第１軸流ファン、前記第１軸流ファンと回転方向が同じ第２軸流ファンとから構成し、前記吸い込みダクトと前記排気ダクトに、前記第１軸流ファンと前記第２軸流ファンを連通しホコリを排出するものである。
【００１３】
そして、この構成によって、軸流ファンと同回転方向の軸流ファンと２段にすることで、１段当たりより約２倍近くのの静圧を発揮できる。吸い込みノズル・吸い込みダクト・２段の軸流ファンキットを内蔵した吸引排気装置・排気ダクトの順に空気を経由させて、室内の汚れた空気を室外に排気するだけの静圧を充分に持ったものである。しかし、室内機の構造上から、吸引排気装置は、小型のために、２個の軸流ファンを高速回転にて回転させるることで充分の静圧を発揮できるものである。２個の軸流ファンを回転させるので、モ−タを小型化できる。軸流ファンが１個でも、低速回転するときは常時換気の機能をも持たせ空気調和機を提供できるものである。
【００１４】
本発明の第４の実施の形態における空気調和機は、吸引排気装置は、風上側から順に、筒に覆われてモ−タと一段の軸流ファンから構成し、前記吸い込みダクトと前記排気ダクトに、前記軸流ファンを連通しホコリを排出するものである。
【００１５】
そして、この構成によって、軸流ファンが１段であるために、部品点数が少なくてすむ。しかし、１段であるために、モ−タをより高速で回転させる必要はあるのでモ−タサイズは大きくなる。  そして、モ−タをより高速で回転させることで、以上の経路を経由して、ホコリを排出できだけの高静圧を発揮できる。また、軸流ファンが低速回転するときは常時換気機能をも持たせた空気調和機も提供できるものである。
【００１６】
【実施例】
以下に、本発明の実施例について、図面を参照しながら説明する。
【００１７】
（実施例１）
図１は本発明の空気調和機の室内機の正面外観図、図２は本発明の空気調和機のＩ−Ｉ断面図であり、第３図はＩＩ−ＩＩ断面図であり、第４図は、エアフィルタ−６に関する構造を示した斜視図である。図５は、吸引排気装置の内部構造を示した正面断面図、図６は、吸引排気装置の内部構造を示したＡ−Ａ断面図である。空気調和機の室内機１３の内部に熱交換器１１とクロスフロ−ファン１２を有し、室内機１３のエアフィルター６に付着するホコリを吸引し、エアフイルタ−６の左右に動く吸い込みノズル５をエアフイルタ−６の風上側に配し、さらにホコリを吸引・排気する吸引排気装置７を室内機１３の側面に配置し、吸引排気装置７としてはモ−タ１６を内蔵した軸１６ａに固定されたシロッコファン１４とシロッコファン１４を囲むケ−シング１５とから形成するものである。ケ−シング１５の吸い込み口１７を吸い込みノズル５に連通する吸い込みダクト３と繋ぎ、更に、ケ−シング１５の吹き出し口１７をホコリを室内機から室外へ排気する排気ダクト８に連通させて、ホコリを排出できる機能を持っている。吸い込み口１７から吸引された空気は、ケ−シング１５を覆う部材１９により密閉された空間２０を形成し、その空間２０から、空気をシロッコファン１４に送り込む。ここで、フィルタ−装置１は、フィルタ−枠２にてエアフィルタ−６が固定されている。
【００１８】
そして、この構成によって、シロッコファン１４は、一般に遠心送風機より風量当たりの騒音が低いが低圧型のために、内蔵モ−タ１６をより高速回転させることで、充分にエアフィルタ−６に堆積したホコリを、吸い込みノズル５・吸い込みダクト３から吸い、排気ダクト８を経由してホコリや空気を輸送するだけの静圧を発揮できるものである。また、吸い込み口１７から吸引された空気は、ケ−シング１５を覆う部材１９により密閉さらた空間２０を形成し、その空間２０から、空気をシロッコファン１４に送り込むことで、吸引排気装置７の構成をコンパクト化できる。
【００１９】
（実施例２）
吸引排気装置７としてはモ−タ１６を内蔵したシロッコファン１４とシロッコファン１４を囲むケ−シング１５とから形成し、ケ−シング１５の吸い込み口１７を吸い込みノズル５に連通する吸い込みダクト３と繋ぎ、更に、ケ−シング１５の吹き出し口１８をホコリを室内機１３から室外へ排気する排気ダクト８に連通させる。
【００２０】
そして、この構成によって、シロッコファン１４は遠心送風機より風量当たりの騒音が低いので、シロッコファン１４を低速回転させるときに、吸い込みノズル５、吸い込みダクト３、シロッコファン１４を内蔵した吸引排気装置７、排気ダクト８の順に空気を経由させて、室内の汚れた空気を室外に排気することで、低騒音な換気の機能をもたせることができる。即ち、空気調和機による、常時換気も可能にし、吸引排気装置７のモ−タ１６の入力も低減できる。
【００２１】
（実施例３）
図７は、吸引排気装置７の正面断面図である。
【００２２】
吸引排気装置７としては、風上側から順に、筒２５に覆われてモ−タ２３を内蔵した軸流ファン２１、同回転方向の軸流ファン２２とから構成し、吸い込みダクト３と排気ダクト８に、以上の２段の軸流ファンキットを連通させた構成としホコリを排出でき空気調和機を提供できるものである。モ−タ２３のシャフト２６は、軸流ファン２１、２２に固定されている。２４は、ハブ部分である。
【００２３】
そして、この構成によって、軸流ファン２１と同回転方向の軸流ファン２２のキットを２段にすることで、１段当たりより約２倍の静圧を発揮できる。吸い込みノズル５、吸い込みダクト３、２段の軸流ファンキットを内蔵した吸引排気装置７、排気ダクト８の順に空気を経由させて、室内の汚れた空気を室外に排気するだけの静圧を充分に持ったものである。しかし、室内機１３の構造上から、吸引排気装置７は、小型のために、２個の軸流ファン２１、２２を高速回転にて回転させる必要があるが、モ−タ２３も小型化でき、これらの事によりにより、充分の静圧を発揮できるものである。また、軸流ファン２２が１個でも、低速回転するときは常時換気の機能をも持たせ空気調和機を提供できるものである。
【００２４】
（実施例４）
吸引排気装置７としては、風上側から順に、筒３０に覆われてモ−タ２７と一対の軸流ファン２６とから構成し、吸い込みダクト３と排気ダクト８に、以上の１段の軸流ファン２６を連通させた構成としたものである。モ−タ２７のシャフト２８を軸流ファン２６に固定して、ハブが２９である。
【００２５】
そして、この構成によって、軸流ファン２８、モ−タ２７のキットが１段であるために、部品点数が少なくてすむ。しかし、１段であるために、一対のモ−タ２７をより高速で回転させる必要はある。そこで、モ−タ２７のサイズは大きくなる。そして、１段であってもモ−タ２７をより高速回転させることで、以上の経路を経由して、ホコリを排出できだけの高静圧を有す。また、軸流ファン２８が低速回転するときは常時換気機能をも持たせた空気調和機も提供できるものである。
【００２６】
【発明の効果】
上記実施例から明らかなように、吸い込みノズル、吸い込みダクト、シロッコファンを内蔵した吸引排気装置、排気ダクトの順に空気を経由させて、室内の汚れた空気を室外に排気するだけの静圧を充分に持たせることができる。
【図面の簡単な説明】
【図１】本発明の第１の実施例を空気調和機室内機の正面図
【図２】本発明の第１の実施例を示す空気調和機の断面図（第１図Ｉ−Ｉ断面）
【図３】本発明の第１の実施例を示す空気調和機の断面図（第１図ＩＩ−ＩＩ断面）
【図４】本発明の第１の実施例を示す空気調和機のフイルタ−装置の斜眼図
【図５】本発明の第１の実施例を示す空気調和機の吸引排気装置の内部構造断面図
【図６】本発明の第１の実施例を示す空気調和機の吸引排気装置の内部構造断面図５のＡ−Ａ断面図
【図７】本発明の第３の実施例を示す空気調和機の吸引排気装置の内部構造断面図
【図８】本発明の第４の実施例を示す空気調和機の吸引排気装置の内部構造断面図
【図９】従来の実施例のエアフィルタ−装置の斜視図
【符号の説明】
１  フィルター装置
２  フレーム枠
３  吸い込みダクト
５  吸い込みノズル
６  エアフイルタ−
７  吸引排気装置
８  排気ダクト
１１  熱交換器
１２  クロスフロ−ファン
１３  空気調和機・室内機・本体
１４  シロッコファン
１５  ケ−シング
１７  吸い込み口
１８  吹き出し口
２１、２２、２６  軸流ファン
【図１】
2004353966.tif 000003
【図２】
2004353966.tif 000004
【図３】
2004353966.tif 000005
【図４】
2004353966.tif 000006
【図５】
2004353966.tif 000007
【図６】
2004353966.tif 000008
【図７】
2004353966.tif 000009
【図８】
2004353966.tif 000010
【図９】
2004353966.tif 000011